(57)【要約】      （修正有）【課題】コンピュータの風の通り道に設置され、流体を迅速にファンに吸入し、さらに複数の羽根を具えた遠心ファンより導出し、空気流量を増加し、コンピュータの冷却効果を高めることができるコンピュータ用高効率遠心ファンの提供。【解決手段】ファンの周囲に羽根が設けられているほか、羽根座体中間部分に吸入式羽根装置が設置されている。該吸入式羽根装置は複数のねじれた曲面を具えた羽根で構成される。【選択図】図３
0003105067.tif 000002
【実用新案登録請求の範囲】
【請求項１】
下座体、羽根座体及びカバーを具え、
該下座体の中央部分に収容空間があり、該収容空間に羽根座体が収容され、該下座体の一側に出風口が形成され、
該カバーの上面に吸風口が設けられ、且つ該カバーが下座体の上を被覆するよう形成されたコンピュータ用高効率遠心ファンにおいて、
該羽根座体の周囲に円形上板が設けられ、該円形上板の下に複数の円弧状の羽根が設けられ、該円形上板からファン中央モータに至る部分に吸入式羽根装置が設けられ、該吸入式羽根装置は複数のねじれた曲面の羽根で構成され、
これにより、吸入式羽根装置が主動的に空気を導入し、周辺の円弧状の直立式羽根により導出し、これにより空気流量と風圧を増加してコンピュータ用ファンの冷却機能を高め、ねじれた曲面の羽根の軸方向面積慣性距離が平板より大きく、これによりその剛性が大きくファン運転時に安定するよう形成されたことを特徴とする、コンピュータ用高効率遠心ファン。
【考案の詳細な説明】
【技術分野】
【０００１】
本考案は一種のコンピュータ用高効率遠心ファンに係り、特に、ファンの周囲に羽根が設けられているほか、羽根座体中間部分に吸入式羽根装置が設置されている。該吸入式羽根装置は複数のねじれた曲面を具えた羽根で構成される。本考案のコンピュータ用高効率遠心ファンはコンピュータの風の通り道に設置され、流体を迅速にファンに吸入し、さらに複数の羽根を具えた遠心ファンより導出し、空気流量を増加し、コンピュータの冷却効果を高めることができるコンピュータ用高効率遠心ファンに関する。
【背景技術】
【０００２】
現代の情報化社会にあって、コンピュータは現代人が最も依存する電子情報製品であるが、コンピュータは運転時に、ＣＰＵの運転に全面的に依存している。運転実行時に、高温が発生し、高温が発生する時、冷却を行なわねば、コンピュータの運転に不安定な状況が出現する。コンピュータはファンの運転により風をヒートシンクに吹き送り、熱を導出し冷却効果を達成する。これにより冷却装置中のファンの設計とコンピュータのＣＰＵの実行安定度には密接な関係がある。いかにＣＰＵの発生する高温をファンの運転下で効率的に冷却するかが、コンピュータの使用及び操作において相当に重要である。一般にコンピュータ用冷却ファンの設置には多種類があり、そのなかの一種類は遠心ファンであり、その構造は図１、２に示されるようである。
【０００３】
図１は周知のコンピュータ用ファンの立体外観分解図である。このコンピュータ用ファンＡは、下座体１、羽根座体２及び上カバー３で組成されている。そのうち、下座体１の中央部分には収容空間１１があり、ファン座体２がここに設置され、下座体１の一側には出風口１２が形成されている。別に該羽根座体２の周囲には複数の円弧状の羽根２１が設置され、該上カバー３の上面には入風口３１が設けられ、且つ下座体１の上を被覆している。図２はこのコンピュータ用ファンの断面図である。周知のコンピュータ用ファンＡが作用する時、それは羽根座体２の運転により、羽根２１が羽根２１の間の空気を押し出し、これにより羽根２１間の空気圧力が羽根内周２２の空気圧力より低くなり、このため空気が入風口３１より羽根内周２２に吸入され、さらに羽根間に吸入され、続いて空気が更に羽根２１に押し出され、こうして不断に循環運転する。しかしこのような周知のファンの入気方式はパッシブで、このため風圧と風量が不足する問題がある。
【考案の開示】
【考案が解決しようとする課題】
【０００４】
本考案の主要な目的は、前述の周知のコンピュータ用高効率遠心ファンの欠点を鑑み、改善した設計を提出することにある。本考案は、吸入式羽根の装置により主動的に風を迅速にコンピュータ用ファン内部に吸入し、さらに外周の直立羽根により導出することにより、空気の流量を増加し風圧を増加し、これによりコンピュータの冷却効果を高められるようにする。
【課題を解決するための手段】
【０００５】
請求項１の考案は、下座体、羽根座体及びカバーを具え、
該下座体の中央部分に収容空間があり、該収容空間に羽根座体が収容され、該下座体の一側に出風口が形成され、
該カバーの上面に吸風口が設けられ、且つ該カバーが下座体の上を被覆するよう形成されたコンピュータ用高効率遠心ファンにおいて、
該羽根座体の周囲に円形上板が設けられ、該円形上板の下に複数の円弧状の羽根が設けられ、該円形上板からファン中央モータに至る部分に吸入式羽根装置が設けられ、該吸入式羽根装置は複数のねじれた曲面の羽根で構成され、
これにより、吸入式羽根装置が主動的に空気を導入し、周辺の円弧状の直立式羽根により導出し、これにより空気流量と風圧を増加してコンピュータ用ファンの冷却機能を高め、ねじれた曲面の羽根の軸方向面積慣性距離が平板より大きく、これによりその剛性が大きくファン運転時に安定するよう形成されたことを特徴とする、コンピュータ用高効率遠心ファンとしている。
【考案の効果】
【０００６】
本考案はコンピュータ冷却時に運用されるコンピュータ用高効率遠心ファンを提供する。本考案のコンピュータ用ファンの周囲には複数の直立羽根が設けられ、羽根座体の中間部分に吸入式羽根装置が設置され、該吸入式羽根装置は複数のねじれた曲面を具えた羽根で構成される。本考案のコンピュータ用高効率遠心ファンはこの新たな設計の羽根が主動的に空気をコンピュータ用ファン内部に導入し、続いて外周に設立された直立式羽根により風を導出する。本考案は主動的に空気を導入し、それはコンピュータ用ファンの空気流量と風圧を高める作用を有し、これにより明らかに風量と風圧を増加し、これによりコンピュータの冷却効果を高める。このほか、本考案の吸入式羽根装置の軸方向面積慣性距離は平板のものより遥かに大きく、これにより運転時に安定している。
【考案を実施するための最良の形態】
【０００７】
図３は本考案の立体外観分解図である。本考案は一種のコンピュータ冷却時に運用されるコンピュータ用遠心ファンである。該コンピュータ用ファンＢは、下座体４、羽根座体５及びカバー６で組成されている。
【０００８】
該下座体４の中央部分には収容空間４１が設けられ、羽根座体５が該収容空間４１に収容され、該下座体４の一側辺に出風口４２が形成されている。
【０００９】
該羽根座体５の周囲には円形上板５１が設けられ、該円形上板５１の下に複数の円弧状の円弧状の直立式羽根５２が設けられ、円形上板５１からファン中央のモータカバー部分に吸入式羽根装置５３が設けられ、該吸入式羽根装置は複数のねじれた曲面の羽根５３ａにより構成されている。
【００１０】
該カバー６の上面には吸風口６１が設けられ、且つ下座体４を被覆する。
【００１１】
続いて図４の本考案のコンピュータ用高効率遠心ファンの断面図を参照されたい。コンピュータ用ファンＢが運転する時、羽根座体５のねじれた曲面の羽根５３ａが空気を導入し、直立式羽根５２が風を導出する。
【００１２】
本考案は以下の長所を有している。
（１）本考案中の吸入式羽根装置５３は主動的に空気を導入し更に周辺の円弧状の直立式羽根５２により導出し、これにより空気流量と風圧を増加する作用を具え、これによりコンピュータ用ファンの冷却効果を高める。
（２）本考案中のねじれた曲面の羽根５３ａの軸方向面積慣性距離は平板のものより大きく、このためその剛性も大きくファン運転時に安定している。
【００１３】
総合すると、本考案の構造と特徴は使用効果が極めて良好で実用性を有するコンピュータ用高効率遠心ファンを提供する。それは確実に実用価値を有し、全体の組合せと空間形態上、これまでの技術にはないものであり、実用新案登録の要件を具備している。なお、以上の実施例は本考案の実施範囲を限定するものではなく、本考案に基づきなしうる細部の修飾或いは改変は、いずれも本考案の請求範囲に属するものとする。
【図面の簡単な説明】
【００１４】
【図１】周知の構造の立体外観分解図である。
【図２】周知の構造の断面図である。
【図３】本考案の立体外観分解図である。
【図４】本考案の断面図である。
【符号の説明】
【００１５】
Ａ  コンピュータ用ファン                １  下座体
１１  収容空間                          １２  出風口
２  羽根座体                            ２１  羽根
２２  羽根内周                          ３  カバー
３１  入風口
Ｂ  コンピュータ用ファン                ４  下座体
４１  収容空間                          ４２  出風口
５  羽根座体                            ５１  円形上板
５２  直立式羽根                        ５３  吸入式羽根装置
５３ａ  ねじれた曲面の羽根              ６  カバー
６１  吸風口
【図１】
0003105067.tif 000003
【図２】
0003105067.tif 000004
【図３】
0003105067.tif 000005
【図４】
0003105067.tif 000006